(57)【要約】【課題】スクリーン本体に対する上下方向の張力と左右方向の張力とを独立して調整可能なスクリーンを提供する。【解決手段】スクリーン本体２と、スクリーン本体２を吊り下げた状態に支持する上部フレーム３と、スクリーン本体２に対して下方への張力を付与して、スクリーン本体２を展開状態に保持する下部フレーム４とを備え、スクリーン本体２の左右両側に、上下のフレーム３、４に対してスクリーン本体２側への移動を規制した状態で、上下方向に延びる左右１対の紐状部材１１を設け、スクリーン本体２の左側部を左側の紐状部材１１に、また右側部を右側の紐状部材１１にそれぞれ連結する複数の連結部材１２を高さ方向に間隔をあけて設け、紐状部材１１に対して上下方向への張力を作用させて、連結部材１２を介してスクリーン本体２に対して左右方向への張力を付与する張力付与手段１０を設けた。【選択図】図２
2012022029.tif 000002
【特許請求の範囲】
【請求項１】
スクリーン本体と、前記スクリーン本体を吊り下げた状態に支持する上部フレームと、前記スクリーン本体に対して下方への張力を付与して、前記スクリーン本体を展開状態に保持する下部フレームとを備えたスクリーンであって、
前記スクリーン本体の左右両側に、上下のフレームに対してスクリーン本体側への移動を規制した状態で、上下方向に延びる左右１対の紐状部材を設け、
前記スクリーン本体の左側部を左側の紐状部材に、また右側部を右側の紐状部材にそれぞれ連結する複数の連結部材を高さ方向に間隔をあけて設け、
前記紐状部材に対して上下方向への張力を作用させて、前記連結部材を介してスクリーン本体に対して左右方向への張力を付与する張力付与手段を設けた、
ことを特徴とするスクリーン。
【請求項２】
前記下部フレームを挿通してその下側へ前記紐状部材を案内し、前記紐状部材の下端部に前記張力付与手段としての錘部材を固定した請求項１記載のスクリーン。
【請求項３】
前記連結部材として、スクリーン本体に一方の面ファスナーを固定し、前記紐状部材に固定可能なバンド部材を設けて、該バンド部材に他方の面ファスナーを固定し、一方の面ファスナーに対する他方の面ファスナーの取付位置を調整して、前記複数の連結部材の張力を個別に調整可能となした請求項１又は２記載のスクリーン。
【発明の詳細な説明】
【技術分野】
【０００１】
本発明は、スクリーンに関する。
【背景技術】
【０００２】
反射型のスクリーンとして、柔軟性を有するスクリーン本体と、前記スクリーン本体を吊り下げた状態に支持する上部フレームと、前記スクリーン本体に対して下方への張力を付与して、前記スクリーン本体を展開状態に保持する下部フレームとを備え、上部フレームを多点で天井裏のアンカーに固定して建物に据え付けてなる吊下げ式のスクリーンが従来から広く実施されている。
【０００３】
ところで、前記スクリーンでは、下部フレームの自重によりスクリーン本体に対して下方への張力を付与しているものの、上部フレームの撓みやスクリーン本体の製作誤差などにより、スクリーン本体に微細な皺や弛みが形成されてしまい、スクリーン本体の平面度が低下するという問題があった。
【０００４】
一方、スクリーンの平面度を高めるために、スクリーン本体に対して上下方向及び左右方向に張力を付与するように構成したスクリーンも提案されている。例えば、特許文献１には、スクリーン本体の高さの中央部の左右方向の幅が小さくなるように、スクリーン本体の左右両側部を湾曲した形状に形成し、上部フレームと下部フレームとにわたって上下方向に延びる１対の紐状部材を設け、該紐状部材をスクリーン本体の左右両側部に一定間隔おきに連結し、スクリーン本体を展開した状態で、スクリーン本体の上部フレームと下部フレーム間において紐状部材に対して張力を作用させることによって、スクリーン本体に対して上下方向及び左右方向に張力を付与するように構成したスクリーンも提案されている。
【先行技術文献】
【特許文献】
【０００５】
【特許文献１】特開２００９−２２９９１５号公報
【発明の概要】
【発明が解決しようとする課題】
【０００６】
ところで、前記特許文献１記載のスクリーンでは、紐状部材の上端部を上部フレームに連結し、下端部を下部フレームに連結している関係上、スクリーン本体に対する上下方向の張力と左右方向の張力とを独立して調整することができず、張力調整に手間がかかるという問題があった。
【０００７】
本発明の目的は、スクリーン本体に対する上下方向の張力と左右方向の張力とを独立して調整可能なスクリーンを提供することである。
【課題を解決するための手段】
【０００８】
本発明に係るスクリーンは、スクリーン本体と、前記スクリーン本体を吊り下げた状態に支持する上部フレームと、前記スクリーン本体に対して下方への張力を付与して、前記スクリーン本体を展開状態に保持する下部フレームとを備えたスクリーンであって、前記スクリーン本体の左右両側に、上下のフレームに対してスクリーン本体側への移動を規制した状態で、上下方向に延びる左右１対の紐状部材を設け、前記スクリーン本体の左側部を左側の紐状部材に、また右側部を右側の紐状部材にそれぞれ連結する複数の連結部材を高さ方向に間隔をあけて設け、前記紐状部材に対して上下方向への張力を作用させて、前記連結部材を介してスクリーン本体に対して左右方向への張力を付与する張力付与手段を設けたものである。
【０００９】
このスクリーンでは、下部フレームの自重を調整することで、スクリーン本体に対する上下方向への張力を調整することができ、また張力付与手段により紐状部材に対する上下方向への張力を調整することで、スクリーン本体に対する上下方向への張力に影響を及ぼすことなく、連結部材を介してスクリーン本体に対する左右方向への張力を調整することができる。このように、スクリーン本体に対する上下方向への張力と左右方向への張力とを独立して調整できるので、簡単な操作により、上下方向及び左右方向への張力を適正に調整して、スクリーン本体の平面度を向上し、スクリーン本体の皺や弛みを容易に除去できる。
【００１０】
前記下部フレームを挿通してその下側へ前記紐状部材を案内し、前記紐状部材の下端部に前記張力付与手段としての錘部材を固定することが好ましい実施の形態である。この場合には、張力付与手段としての錘部材の重さを調整することで、スクリーン本体に対する上下方向への張力を、左右方向への張力とは独立に調整することができる。
【００１１】
前記連結部材として、スクリーン本体に一方の面ファスナーを固定し、前記紐状部材に固定可能なバンド部材を設けて、該バンド部材に他方の面ファスナーを固定し、一方の面ファスナーに対する他方の面ファスナーの取付位置を調整して、前記複数の連結部材の張力を個別に調整可能となすことも好ましい実施の形態である。この場合には、面ファスナーとバンド部材とからなる簡単な構成の複数の連結部材により、スクリーン本体に対する左右方向への張力を木目細かく調整することができる。
【発明の効果】
【００１２】
本発明に係るスクリーンによれば、下部フレームの自重を調整することで、スクリーン本体に対する上下方向への張力を調整することができ、また張力付与手段により紐状部材に対する上下方向への張力を調整することで、スクリーン本体に対する上下方向への張力に影響を及ぼすことなく、連結部材を介してスクリーン本体に対する左右方向への張力を調整することができる。このように、スクリーン本体に対する上下方向への張力と左右方向への張力とを独立して調整できるので、簡単な操作により、上下方向及び左右方向への張力を適正に調整して、スクリーン本体の平面度を向上し、スクリーン本体の皺や弛みを容易に除去できる。
【図面の簡単な説明】
【００１３】
【図１】スクリーンの正面図
【図２】スクリーンの要部正面図
【図３】バンド部材の斜視図
【図４】バンド部材の取付方法の説明図
【図５】他の構成の張力付与手段の説明図
【図６】他の構成の張力付与手段の説明図
【発明を実施するための形態】
【００１４】
以下、本発明を実施するための形態について、図面を参照しながら説明する。
図１、図２に示すように、スクリーン１は、スクリーン本体２と、スクリーン本体２を吊り下げた状態に支持する上部フレーム３と、スクリーン本体２に対して下方への張力を付与して、スクリーン本体２を展開状態に保持する下部フレーム４と、スクリーン本体２に対して左右方向への張力を付与する張力付与装置１０とを備えている。
【００１５】
スクリーン本体２は、可撓性を有する略方形状の周知の反射型スクリーンで構成され、プロジェクタ等から投射した画像を反射して表示するように構成したものである。ただし、スクリーン本体２として、高さ方向の途中部における左右方向の幅を、上下両端部における左右方向の幅よりも狭く設定して、両側縁を円弧状に形成したスクリーン本体を採用することも可能である。また、透過型のスクリーン本体を備えたスクリーンにも本発明を適用できる。
【００１６】
上部フレーム３は金属製の丸パイプで構成され、スクリーン本体２の上端部に一体的に形成した上部筒部２ａに挿通されて、スクリーン本体２の上端部に左右方向に配置されている。上部フレーム３は天井５に間隔をあけて施工した複数のアンカー材６に直接的又は紐部材などを介して固定されて、天井付近に略水平に固定設置され、スクリーン本体２は上部フレーム３に吊り下げた状態に支持されている。なお、上部フレーム３としては、スクリーン本体２を吊下げ可能な強度剛性を有するものであれば、丸パイプ以外の任意の構成の棒状部材を採用することができる。
【００１７】
下部フレーム４は金属製の丸パイプで構成され、スクリーン本体２の下端部に一体的に形成した下部筒部２ｂに挿通され、スクリーン本体２の下端部に左右方向に配置されている。下部フレーム４は、その自重によりスクリーン本体２に対して下方への張力を付与して、スクリーン本体２を展開状態に保持するように構成されている。なお、下部フレーム４としては、スクリーン本体２の下端部を直線状に保形可能なものであれば、丸パイプ以外の任意の構成の棒状や板状の部材を採用することができる。
【００１８】
張力付与装置１０は、スクリーン本体２の左右両側に設けられ、上下のフレーム３、４に案内されてスクリーン本体２側への移動が規制された左右１対の紐状部材１１と、高さ方向に間隔をあけて配置され、スクリーン本体２の左側部を左側の紐状部材１１に、また右側部を右側の紐状部材１１にそれぞれ連結する複数の連結部材１２と、紐状部材１１に対して上下方向への張力を作用させて、連結部材１２を介してスクリーン本体２に対して左右方向への張力を付与する張力付与手段としての錘部材１３とを備えている。
【００１９】
紐状部材１１は、可撓性を有する細長い紐状の部材であれば、ワイヤやチェーン、合成樹脂繊維や天然繊維からなるロープなどで構成することもできる。特に、安価に入手でき、取り扱いが容易で、しかも伸びが少ないことから、ワイヤで構成することが好ましい。
【００２０】
上部フレーム３の左右両端部にはスクリーン本体２から左右両側へ突出する上部突出部３ａが形成され、上部突出部３ａの長さ方向の途中部には上下方向の上部貫通孔３ｂが形成され、左右の紐状部材１１の上端部は、左右の上部貫通孔３ｂに上下方向に移動自在にそれぞれ挿通されて、天井５に固定されている。なお、紐状部材１１の上端部は、上部フレーム３の両端部に移動不能に固定することも可能である。
【００２１】
下部フレーム４の左右両端部にはスクリーン本体２から左右両側へ突出する下部突出部４ａが形成され、下部突出部４ａの長さ方向の途中部には上下方向の下部貫通孔４ｂが形成され、左右の紐状部材１１の下端部は左右の下部貫通孔４ｂを上下方向に移動自在にそれぞれ挿通されている。なお、紐状部材１１の下端部は、下部フレーム４に対して上下移動自在で且つスクリーン本体２側へ移動しないように案内されていればよく、下部貫通孔４ｂに代えて、ガイド部材やガイド輪等を下部フレーム４に設けて、該ガイド部材やガイド輪等により紐状部材１１を上下方向に案内してもよい。
【００２２】
床７と下部フレーム４間には金属製の丸パイプからなる錘部材１３が略水平方向に設けられ、錘部材１３の両端部には下部フレーム４を挿通して下方へ延びる紐状部材１１の下端部が連結され、錘部材１３は左右の紐状部材１１を介して天井５に支持され、紐状部材１１には錘部材１３の自重に応じた下方への張力が付与されている。なお、符号８は、錘部材１３を床７に連結する係留部材であり、この係留部材８により錘部材１３の揺れなどを防止することができる。
【００２３】
連結部材１２は、図２〜図４に示すように、スクリーン本体２の裏面側の左右両側縁にスクリーン本体２の上端部から下端部にわたって取付けた第１ファスナー１４と、基端部に枠部１５ａを一体成形した細長い紐状のバンド部材１５と、バンド部材１５の先端部に固定した第２ファスナー１６とを備えている。第１ファスナー１４と第２ファスナー１６とで相互に係脱可能な面ファスナーが構成され、バンド部材１５は両ファスナー１４、１６を利用して、スクリーン本体２に対して任意の高さ位置に固定できるとともに、スクリーン本体２から側方への突出長さを任意に調整できるように構成されている。
【００２４】
この連結部材１２では、図４に示すように、バンド部材１５の基端部側を紐状部材１１に巻き付けて、バンド部材１５の先端部を枠部１５ａに挿通させ、バンド部材１５の先端部側を引っ張ることで、バンド部材１５を紐状部材１１に容易に固定でき、また第１ファスナー１４に対する第２ファスナー１６の取付位置を高さ方向及び左右方向へ調整しながら、バンド部材１５の第２ファスナー１６をスクリーン本体２の第１ファスナー１４に係合させることで、スクリーン本体２の側部と紐状部材１１とを両者の間隔を適正に調整しながら連結できるように構成されている。ただし、バンド部材１５に代えて、単なる紐状の部材を採用したり、枠部１５ａに代えて紐状部材１１が挿通するリング部を形成したバンド部材１５を用いたりすることも可能である。
【００２５】
このスクリーン１を組み立てる際には、先ず上部フレーム３及び下部フレーム４をスクリーン本体２の上部筒部２ａ及び下部筒部２ｂにそれぞれ挿通させるとともに、上部フレーム３を天井５のアンカー材６に固定し、下部フレーム４の自重によりスクリーン本体２を下方へ引っ張って、スクリーン本体２を展開状態に保持する。次に、上部フレーム３の左右の上部貫通孔３ｂに紐状部材１１をそれぞれ挿通させて、紐状部材１１の上端部を天井５のアンカー材６に固定するとともに、下部フレーム４の左右の下部貫通孔４ｂに紐状部材１１を挿通させて、下部フレーム４から下側へ延びる紐状部材１１の下端部に錘部材１３の両端部を固定する。ただし、紐状部材１１は、上部フレーム３を天井５に固定する前に、予め上部フレーム３と下部フレーム４とに挿通させるとともに、下端部を錘部材１３に固定してもよい。
【００２６】
次に、図４に示すように、バンド部材１５の基端部を紐状部材１１に巻き掛けて紐状部材１１に固定するとともに、バンド部材１５の第２ファスナー１６を高さ方向及び左右方向に位置調整しながらスクリーン本体２の第１ファスナー１４に係合させて、スクリーン本体２の側部に側方への張力を作用させながら、スクリーン本体２の側部と紐状部材１１とを複数の連結部材１２で順次連結して、スクリーン本体２に皺や弛みが発生しないように、スクリーン本体２に対して左右方向への張力を作用させることになる。ただし、上部フレーム３と下部フレーム４間に紐状部材１１を張設する前に、予め複数のバンド部材１５を紐状部材１１の略適正位置に固定しておくことも好ましい実施の形態である。また、複数のバンド部材１５を予めスクリーン本体２の側部の上下方向及び左右方向の適正位置に固定し、スクリーン本体２に皺や弛みが発生した場合にのみ、皺や弛みの発生位置に応じた位置における、スクリーン本体２に対するバンド部材１５の取付位置を微調整してもよい。ただし、この場合には、バンド部材１５として、枠部１５ａに代えて、紐状部材１１に係脱可能なクリップなどを設けたものを用いることが好ましい。更に、必要に応じて左右のバンド部材１５の本数を変更したり、新たなバンド部材１５を追加したり、バンド部材１５の上下方向の取付位置を調整したりして、皺や弛みを解消することも好ましい実施の形態である。
【００２７】
このスクリーン１では、下部フレーム４の自重により、スクリーン本体２に対して上下方向への張力を作用させるとともに、錘部材１３により紐状部材１１に対して下方への張力を作用させて、連結部材１２を介してスクリーン本体２に左右方向への張力を作用させ、スクリーン本体２の皺や弛みを除去して、スクリーン本体２の平面度を向上することになるが、スクリーン本体２に対して左右方向への張力を作用させるための左右の紐状部材１１は、下部フレーム４を上下方向に挿通しているので、錘部材１３による荷重は紐状部材１１にのみ作用し、下部フレーム４には作用しないので、スクリーン本体２に対する上下方向への張力と左右方向への張力とを独立して調整できる。このため、簡単な操作により、上下方向及び左右方向への張力を適正に調整して、スクリーン本体２の平面度を向上し、スクリーン本体２の皺や弛みを容易に除去できる。
【００２８】
次に、前記張力付与装置１０の構成を部分的に変更した他の実施形態について説明する。なお、前記実施形態と同一部材には同一符号を付してその詳細な説明を省略する。
（１）図５に示すスクリーン１Ａの張力付与装置１０Ａのように、張力付与手段として丸パイプからなる錘部材１３に代えて、塊状の錘部材２０を左右の紐状部材１１の下端部にそれぞれ取付けることも可能である。
【００２９】
（２）図６に示すスクリーン１Ｂの張力付与装置１０Ｂのように、紐状部材１１の下端部を張力付与手段としてのバネ部材２１を介して床７に固定することもできる。この場合には、バネ部材２１による引っ張り力で紐状部材１１に張力を付与することになる。ただし、紐状部材１１の下端部を床７に固定し、紐状部材１１の上端部と天井５または上部フレーム３に紐状部材１１を上方へ付勢するバネ部材を設けたり、天井５または上部フレーム３に定滑車を取付けたりして、該定滑車に紐状部材１１を引っ掛けて錘部材１３で紐状部材１１に張力が作用するように構成することも可能である。
【００３０】
なお、本実施の形態では、吊り下げ式のスクリーン１に対して本発明を適用した場合について説明したが、自立型スクリーンなどに対しても本発明を適用できるし、常設型のスクリーン１以外に電動や手動による巻取り型のスクリーンに対しても本発明を同様に適用できる。
【符号の説明】
【００３１】
１      スクリーン        ２      スクリーン本体
２ａ    上部筒部          ２ｂ    下部筒部
３      上部フレーム      ３ａ    上部突出部
３ｂ    上部貫通孔        ４      下部フレーム
４ａ    下部突出部        ４ｂ    下部貫通孔
５      天井              ６      アンカー材
７      床                ８      係留部材
１０    張力付与装置      １１    紐状部材
１２    連結部材          １３    錘部材
１４    第１ファスナー    １５    バンド部材
１５ａ  枠部              １６    第２ファスナー
１Ａ    スクリーン        １０Ａ  張力付与装置
２０    錘部材
１Ｂ    スクリーン        １０Ｂ  張力付与装置
２１    バネ部材
【図１】
2012022029.tif 000003
【図２】
2012022029.tif 000004
【図３】
2012022029.tif 000005
【図４】
2012022029.tif 000006
【図５】
2012022029.tif 000007
【図６】
2012022029.tif 000008